(57)【要約】      （修正有）【課題】針の軸頭部とフック部にハリス止めかリングを持つ釣針。【解決手段】軸頭部ハリス止め形状部Ａと軸部Ｂ中央よりフック部Ｅの間による適合箇所にハリス止め形状部Ｃ及びリング形状部Ｄのいずれか一方を設けるか、あるいはハリス止め形状部Ｃ及びリング形状部Ｄを両方を設けることで、針先Ｊまでを一体化して、軽量化及び糸とへそ針との固定作業の簡便化を図っている。【選択図】図１
2008054653.tif 000002
【特許請求の範囲】
【請求項１】
断面が円形、楕円形などの真鍮鋼、ステンレス鋼、ピアノ線鋼、銅鋼、鋼、チタンなどで針の軸頭部をハリス止め形状に加工し、端部をもう一方の軸部に巻きつけるか、端部と軸と共によじるかによって固定し軸部中央部よりフックの間による適合箇所にハリス止め形状に加工し折り返し軸部をもう一方の軸部に巻きつけるか、両軸を共によじるかによって固定しさらにフックから針先まで一本で作られている釣針
【請求項２】
断面が円形、楕円形などの真鍮鋼、ステンレス鋼、ピアノ線鋼、銅鋼、鋼、チタンなどで針の軸頭部をハリス止め形状に加工し、端部をもう一方の軸部に巻きつけるか、両軸と共によじるかにって固定し軸中央部よりフック部の間による適合箇所に円形、楕円形、菱形、三角形などの適合するリング形状に加工し折り返し軸部をもう一方の軸部に巻くか両軸と共によじるかによって固定しさらにフックから針先まで一本で作られている釣針
【請求項３】
断面が円形、楕円形などの真鍮鋼、ステンレス鋼、ピアノ線鋼、銅鋼、鋼、チタンなどによるハリス止め形状物を針の軸頭部と軸中央部よりフック部の間による適合箇所にハリス止め形状物の軸部を半田付けもしくは巻き付けるか、両軸と共によじるかによって装着されている釣針
【請求項４】
断面が円形、楕円形などのなどによるハリス止め形状物を軸頭部に円形、楕円形、菱形、三角形などの適合するリング形状物の軸を針の軸中央部からフック部の間による適合箇所に巻き付けるか、両軸と共によじるかによって装着されている釣針
【請求項５】
針の軸頭部にハリス止め形状部を持ち軸部よりフック部に対しリング形状部又はハリス止形状部を有し、フックから針先まで１本の真鍮鋼、ステンレス鋼、ピアノ線鋼、銅鋼、鋼、チタンなどで作られている請求項１請求項２の方式で作られている釣針
【発明の詳細な説明】
【発明の詳細な説明】
【０００１】当発明は針の軸頭部にハリス止め形状、軸中央部よりフック部に対し適合箇所にリング形状又はハリス止め形状を設け鮎釣用のへそ針に用いる。
当発明の針を用いれば鮎の友釣り針の装着と鼻官が装着されている糸に装着が簡単にできる。
鼻官が装着されている糸の長さの調節もへそ針のリング形状又はハリス止め形状によって調節ができる。
針の軸頭部にハリス止め形状に加工し軸中央よりフック部までの適応箇所にリング形状もしくはハリス止め形状を設け針先まで一体式に作ることで便利かつ軽量なへそ針ができる。
現在はへそ針の軸頭部にハリス止め形状物の軸と針の軸と両軸を沿わせ半田付けがされているものと軸頭部にハリス止め形状物とフック部にリング形式の両軸を針の軸に沿わせて半田付けによって装着されて居るがフック部にハリス止め形状物を設けあるへそ針は無い、これらは何れも鼻官からの糸にへそ針を固定するさいに結び糸と接着剤によって糸にへそ針が装着されている、これらの結び糸は必要なくなり誰でも簡単に友釣り用の仕掛けができさらに掛かり針が石に引っ掛かり針先の鋭利さが無くなった時にも簡単に掛かり針部の仕掛けのみが取りかえれる。
【産業上の利用分野】
【０００２】魚釣り用釣り針
【背景技術】
【０００３】針の軸部に鼻官からの糸をハリス止め形状の軸部に沿わせ、さらに針の軸部を沿わせ結び糸によって両軸部と糸とを結び糸によって結び付け、さらに接着剤によって固定されているか、鼻官の元にハリス止め形状物を設けハリス止め形状物より仕掛け糸を鮎の下鰭箇所の部分に針と糸を結び糸に拠って固定している。
もしくは針の軸頭部にハリス止め軸部を沿わせて半田づけをし、さらに半田づけされた部分に鼻官からの糸を沿わせて結び糸によって固定し接着剤によってさらに固定されている。
【発明が解決する為の課題】
【０００４】軽量かつ簡単に鼻官からの糸に取り付けれるへそ針
【発明が解決する為の手段】
【０００５】軸頭部ハリス止め形状と軸中央部よりフック部の間による適合箇所にハリス止めを設けることで鼻官からの糸とへそ針が簡単に固定できる。
【０００６】軸頭部ハリス止め形状と軸中央部よりフック部の間による適合箇所にリングを設けることで鼻官からの糸とへそ針が簡単に固定できる。
【０００７】軸頭部ハリス止め形状物と軸中央部よりフック部の間による適合箇所と両方面にハリス止め形状又はリング形状を設けることで、軽量にでき、鼻官からの糸を針先の仕掛けまで通しで友釣り用の仕掛けが簡単にできる。
【発明の実態の形態】
【０００８】発明の実施形態を実施例に基づき図面を参照して説明する。
図１Ａ軸頭部ハリス止め形状に加工しＦ１の端部をＢ軸部に巻きつけるか両軸と共によじるかによって固定し軸中央よりフック部までの適合箇所にＣハリス止め形状に加工しさらにＥフック部を作る長さを見越しＧ折り返し軸部をＢ軸部に巻きつけるか両軸を共によじりＥフック部からＪ針先まで作る。
【０００９】図２Ａ軸頭部ハリス止め形状に加工しＦ１の端部をＢ軸部に巻きつけるか両軸と共によじるかによって固定し軸中央部よりフック部にたいし適応箇所にＥフック部の長さを見越しＤリング形状を設け、Ｇ折り返し軸部をＢ軸部に巻きつけるか両軸を共によじりＥフック部からＪの針先まで作る。
【００１０】図３の１はＡ軸頭部ハリス止め形状物のＦ２Ｆ３の端部を針のＢ軸部に巻きつけＢ軸部中央部よりＥフック部の間による適合箇所にハリス止め形状物Ｆ２Ｆ３端部を針の軸に巻きつけ固定された釣針図３の２はＡ軸頭部ハリス止め形状物のＦ２Ｆ３端部と針の軸と共によじり固定しＣハリス止め形状物のＦ２Ｆ３と針Ｂ軸部と共によじって固定し釣針が作られている部分図である。
【００１１】図４の１はＡ軸頭部ハリス止め形状物のＦ２Ｆ３端部とＢ軸中央部よりフック部の間による適合箇所にＤリング形状物のＦ２Ｆ３端部を針のＢ軸部に巻きつけて固定されている釣針図４の２はＡ軸頭部ハリス止め形状物の端部Ｆ２Ｆ３を針のＢ軸部と共によじりＢ軸部中央部よりフック部の間による適合箇所にＤリング形状物の端部Ｆ２Ｆ３を針のＢ軸部に共によじって固定して釣針が作られている部分図である。
【００１２】図５の１はＡ軸頭部ハリス止め形状物Ｃハリス止め形状物の端部のＦ１Ｆ２Ｆ３を針Ｂ軸部に沿わせ半田付けして作られている釣針。
【００１３】以上に示す様に加工されたへそ針で実験を試みた結果、友鮎の弱りが軽減され、掛かり針の仕掛け部分の取替えも簡単に出来る。
【図面の簡単な説明】
【図１】Ａ軸頭部ハリス止め形状部に加工しＣは軸中央よりフック部までの適合箇所にハリス止め形状部加工しさらにＥフック部からＪまでの加工図である。
【図２】Ａ軸頭部ハリス止め形状部に軸中央部よりフック部にたいし適応箇所にＤリング形状Ｅフック部からＪまでの加工図である。
【図３】１のＡ軸頭部ハリス止め形状部と軸中央部よりフック部の間による適合箇所にハリス止め形状物のＦ２端部Ｆ３端部を針の軸に巻きつけて固定されている釣針の図と２は軸同士を共によじった部分図である。
【図４】１はＡ軸頭部ハリス止め形状部と軸中央部よりフック部の間による適合箇所にリング形状物のＦ２端部Ｆ３端部を針に巻きつけて固定されている釣針の図と２は軸同士を共によじった部分図である。
【図５】１はＡリス止め形状部と軸中央部よりフックの間による適合箇所にＣハリス止め形状物を半田付けし固定して作られている釣針の図である。
【符号の説明】
Ａ  ハリス止め形状部
Ｂ  軸部
Ｃ  軸中央よりフック部の間による適合箇所のハリス止め形状部
Ｄ  軸中央よりフック部の間による適合箇所のリング形状部
Ｅ  フック部
Ｆ１Ｆ２Ｆ３端部
Ｇ  折り返し軸部
Ｈ  針の軸にＡ、Ｄなどの軸を沿わせて半田付けされている箇所
Ｊ  針先
【図１】
2008054653.tif 000003
【図２】
2008054653.tif 000004
【図３】
2008054653.tif 000005
【図４】
2008054653.tif 000006
【図５】
2008054653.tif 000007